(57)【特許請求の範囲】
【請求項１】
各々、不揮発性メモリを用いて構成された２つのリングバッファを使用して、検知対象物についての警報信号の発生前後における所定時間の検知データよりなる警報データを記録する方法であって、
検知対象物の計測を開始するのと同時に、一方のリングバッファに対する検知データの書き込みが開始され、
警報信号が発せられるのと同時に、他方のリングバッファに対する検知データの書き込みが開始されて、警報信号発生後の検知データの書き込みが２つのリングバッファに対して二重に行われることを特徴とする警報データの記録方法。
【請求項２】
一方のリングバッファに対して、先の警報信号発生時における警報データが保存されていると共に、他方のリングバッファに対して、先の警報信号発生後の検知データの書き込みが継続して行われている状態において、さらに、次の警報信号が発せられた場合には、先の警報信号発生時における警報データが保存された一方のリングバッファに対して、次の警報信号発生後の検知データの上書きが行われると共に、当該次の警報信号発生時における最新の警報データが他方のリングバッファに保存されることを特徴とする請求項１に記載の警報データの記録方法。
【請求項３】
先の警報信号発生時における検知データの書き込みが両方のリングバッファに対して行われている状態において、さらに、次の警報信号が発せられた場合には、先の警報信号発生時における警報データとされるべき検知データの書き込みが行われている一方のリングバッファにおいて、次の警報信号発生後の検知データの上書きが行われて、当該次の警報信号発生時における最新の警報データに書き換えられることを特徴とする請求項１に記載の警報データの記録方法。
【請求項４】
検知対象物の計測が開始されて最初の警報信号の発生時において、警報信号発生前の所定時間の検知データが得られない場合には、不足分の検知データの書き込みを行わずに、警報データがリングバッファにおけるデータ記録領域にブランク領域が形成された状態で保存されることを特徴とする請求項１に記載の警報データの記録方法。
【請求項５】
各々、不揮発性メモリを用いて構成された２つのリングバッファと、このリングバッファに警報データを書き込む警報データ書き込み手段と、請求項１乃至請求項４のいずれかに記載の記録方法が実行されるよう、警報データ書き込み手段の動作状態を制御する制御手段とを備えてなることを特徴とする警報データ記録装置。
【請求項６】
各々のリングバッファは、そのデータ記録領域における検知データの記録可能時間が３０分間のものであり、警報信号発生前後、それぞれ１５分間ずつの検知データが保存されることを特徴とする請求項５に記載の警報データ記録装置。
【請求項７】
制御手段は、検知対象物についての警報信号の発生前後における所定時間の間の等時間間隔毎における最大値が検知データとしてリングバッファに書き込まれるよう、検知データを選定する機能を有することを特徴とする請求項５または請求項６に記載の警報データ記録装置。
【請求項８】
請求項５乃至請求項７のいずれかに記載の警報データ記録装置を備えてなることを特徴とする携帯用ガス警報装置。
【発明の詳細な説明】
【０００１】
【発明の属する技術分野】
本発明は、警報データの記録方法および警報データ記録装置並びに携帯用ガス警報装置に関する。
【０００２】
【従来の技術】
例えば、ガス漏洩などを検知するガス警報装置においては、警報信号が発せられた時点における検知対象ガスについてのガス濃度などの検知データを保存するためのデータ記録装置が備えられた構成のものが知られており、取得された検知データは、ガス漏洩の発生状況の分析やガス漏洩による災害を未然に防ぐために利用されている。
【０００３】
このようなガス警報装置におけるデータ記録装置の一例として、電源が遮断された場合であっても、検知データが消滅されないよう例えばＥＥＰＲＯＭなどの不揮発性メモリを備え、この不揮発性メモリ上に、いわゆるリングバッファが構成されたものがあり、このようなデータ記録装置においては、ガス検知手段により検知される検知データをリングバッファに順次に書き込むことによって、警報信号発生時における検知データ、具体的には、警報発生前後、それぞれ所定時間の検知データ（以下、「警報データ」という。）が保存される。
【０００４】
ガス警報装置を使用するに際して、最初の警報信号が発せられた後、さらに次の警報信号が発せられる場合も少なくない。
しかしながら、上記の構成のガス警報装置においては、通常、最初の警報信号時の警報データの書き込みが終了した時点で電源が遮断される構成とされているため、最初の警報信号が発せられた後に、さらに次の警報信号が発せられた場合には、次の警報信号発生時における警報データを取得することができない、という問題がある。
【０００５】
このような問題に対して、２つのリングバッファを使用して、次の警報信号が発せられた場合であっても、当該警報信号に対応することができるよう構成されたものが知られている。
このようなデータ記録装置においては、図４に示すように、各々のリングバッファＡ、Ｂの動作状態が制御される。すなわち、検知対象ガスの計測を開始するのと同時に、一方のリングバッファＡに対して、検知データの書き込みが開始され、最初の警報信号（図４においては、「１次警報」と示してある。）が発せられた後、所定時間、例えば１５分間（図において、丸数字で示す。）経過した時点で、一方のリングバッファＡに対する検知データの書き込みが終了されて、警報信号発生時における警報データとして保存される。そして、一方のリングバッファＡに対する検知データの書き込みが終了するのと同時に、次の警報信号に備えて、他方のリングバッファＢに対して検知データの書き込みが開始される。
【０００６】
而して、このようなデータ記録装置では、例えば、必要とされる警報データが、警報発生前後、それぞれ１５分間ずつ、合計３０分間のものである場合において、一方のリングバッファＡに対する検知データの書き込みが終了されてから１５分間が経過する以前（図示の例では、１０分後）に、次の警報信号（２次警報信号）が発せられた場合には、２次警報信号発生前の所定時間の検知データを取得することができない、という問題がある。
【０００７】
【発明が解決しようとする課題】
本発明は、以上のような事情に基づいてなされたものであって、その目的は、最新の警報信号発生前後の所定時間の警報データを確実に取得することができる警報データの記録方法および記録装置を提供することにある。
本発明の他の目的は、他の警報処理に支障をきたすことなしに、所望の警報データを確実に得ることができ、従って、高い安全性を有する携帯用ガス警報装置を提供することにある。
【０００８】
【課題を解決するための手段】
本発明の警報データの記録方法は、各々、不揮発性メモリを用いて構成された２つのリングバッファを使用して、検知対象物についての警報信号の発生前後における所定時間の検知データよりなる警報データを記録する方法であって、
検知対象物の計測を開始するのと同時に、一方のリングバッファに対する検知データの書き込みが開始され、
警報信号が発せられるのと同時に、他方のリングバッファに対する検知データの書き込みが開始されて、警報信号発生後の検知データの書き込みが２つのリングバッファに対して二重に行われることを特徴とする。
【０００９】
本発明の記録方法においては、一方のリングバッファに対して、先の警報信号発生時における警報データが保存されていると共に、他方のリングバッファに対して、先の警報信号発生後の検知データの書き込みが継続して行われている状態において、さらに、次の警報信号が発せられた場合には、先の警報信号発生時における警報データが保存された一方のリングバッファに対して、次の警報信号発生後の検知データの上書きが行われると共に、当該次の警報信号発生時における最新の警報データが他方のリングバッファに保存される。
【００１０】
また、本発明の記録方法においては、先の警報信号発生時における検知データの書き込みが両方のリングバッファに対して行われている状態において、さらに、次の警報信号が発せられた場合には、先の警報信号発生時における警報データとされるべき検知データの書き込みが行われている一方のリングバッファにおいて、次の警報信号発生後の検知データの上書きが行われて、当該次の警報信号発生時における最新の警報データに書き換えられる。
【００１１】
さらに、本発明の記録方法においては、検知対象物の計測が開始されて最初の警報信号の発生時において、警報信号発生前の所定時間の検知データが得られない場合には、不足分の検知データの書き込みを行わずに、警報データがリングバッファにおけるデータ記録領域にブランク領域が形成された状態で保存される。
【００１２】
本発明の警報データ記録装置は、各々、不揮発性メモリを用いて構成された２つのリングバッファと、このリングバッファに警報データを書き込む警報データ書き込み手段と、上記の記録方法が実行されるよう、警報データ書き込み手段の動作状態を制御する制御手段とを備えてなることを特徴とする。
【００１３】
本発明の警報データ記録装置においては、各々のリングバッファは、そのデータ記録領域における検知データの記録可能時間が３０分間のものであり、警報信号発生前後、それぞれ１５分間ずつの検知データが保存される構成とすることができる。
【００１４】
また、本発明の警報データ記録装置においては、制御手段は、検知対象物についての警報信号の発生前後における所定時間の間の等時間間隔毎における最大値が検知データとしてリングバッファに書き込まれるよう、検知データを選定する機能を有する構成とすることができる。
【００１５】
本発明の携帯用ガス警報装置は、上記の警報データ記録装置を備えてなることを特徴とする。
【００１６】
【作用】
本発明によれば、警報信号が発せられた際に、検知データの書き込みが各々のリングバッファに対して二重に行われることにより、当該警報信号が発せられた後、いずれの時に次の警報信号が発せられた場合であっても、当該警報信号発生前の所定時間の検知データを確実に保存することができるので、所望の警報データを確実に取得することができる。
【００１７】
【発明の実施の形態】
以下においては、本発明をガス警報装置に適用した場合について説明するが、特に、身体的な障害を伴うことなしに曝露可能とされる有毒ガスの短期曝露限界（ＳＴＥＬ；Ｓｈｏｒｔ−Ｔｅｒｍ  Ｅｘｐｏｓｕｒｅ  Ｌｉｍｉｔ）が、通常、１５分間程度とされていることから、警報信号発生前後、それぞれ１５分間ずつ、合計３０分間の検知データを、その警報信号発生時における警報データとして取得する場合を例に挙げて説明する。
【００１８】
本発明のガス警報装置は、互いに異なる複数種、例えば４種のガスの濃度が検知可能とされたガス検知手段と、このガス検知手段により検知される検知対象ガスについての検知データを記録する警報データ記録装置と、この警報データ記録装置の作動を後述する特定の記録方法が実行されるよう制御する制御手段と、ガス検知手段により検知されるいずれか一種の検知対象ガスが所定のガス濃度を超えた場合に警報信号を発する警報手段とを備えている。
制御手段は、ガス検知手段により検知された、検知対象ガスについての警報信号の発生前後における所定時間の間の等時間間隔毎における最大値が検知データとして記録されるよう、検知データを選定する機能を有する。
【００１９】
検知対象ガスは、特に制限されるものではないが、例えば炭化水素ガス、硫化水素ガス、酸素ガス、一酸化炭素ガス、炭化水素ガス、メタンガス、ブタンガスその他の可燃性ガス、毒性ガスなどが挙げられる。
【００２０】
警報データ記録装置は、各々、例えばＥＥＰＲＯＭなどの不揮発性メモリ上に形成された２つのリングバッファと、これらのリングバッファにおけるデータ記録領域にデータを書き込むための警報データ書き込み手段とを備えている。
各々のリングバッファは、そのデータ記録領域における検知データの記録可能時間が例えば３０分間のものである。
【００２１】
上記の警報データ記録装置においては、以下に詳細に説明するように、制御手段によって、最新の警報信号発生時における警報データが保存されるよう、各々のリングバッファの動作状態が制御される。
【００２２】
詳細に説明すると、図１に示すように、ガス検知手段によって検知対象ガスの計測が開始されるのと同時に、一方のリングバッファＡにおける所定の書き込み位置（図１（イ）においては、矢印で示されている。）に対して、各々の検知対象ガスについての検知データの書き込みが適宜の識別情報と共に行われて、ガス検知手段よりの順次の検知データが、リングバッファＡにおいてリング状に並ぶ書き込み位置の各々に対して順次に行われる。
ここに、リングバッファに書き込まれる検知データは、等時間間隔、例えば５秒間隔毎におけるガス濃度のピーク値であって、すべての検知対象ガスについての検知データが同一の書き込み位置に保存される。
【００２３】
その後、検知対象ガスのいずれか１種が所定のガス濃度を超えたことが検知されて最初の警報信号（以下、「１次警報信号」という。）が発せられると、それと同時に、他方のリングバッファＢにおける所定の書き込み位置に対して、検知データの書き込みが開始されて、１次警報信号発生後の検知データの書き込みが２つのリングバッファＡ、Ｂに対して二重に行われる。
【００２４】
１次警報信号が発せられて１５分間（図１（ロ）において丸数字で示す。）が経過した時点で、一方のリングバッファＡに対する検知データの書き込みが終了されるが、次の警報信号（以下、「２次警報信号」という。）が発せられる場合に備えて、他方のリングバッファＢに対する検知データの書き込みが継続して行われる。
【００２５】
そして、一方のリングバッファＡに対する検知データの書き込みが終了されてから、例えば１０分間が経過した後、さらに、２次警報信号が発せられた場合には、２次警報信号発生と同時に、１次警報データが既に保存されている一方のリングバッファＡに対して、２次警報信号発生後の検知データの上書きが開始されて、さらに次の警報信号に備えて検知データの書き換えが行われる。
【００２６】
一方、２次警報信号が発せられて１５分間が経過した時点で、他方のリングバッファＢに対する検知データの書き込みが終了されることになるが、他方のリングバッファＢに対する検知データの書き込みが開始されてからの１０分間の検知データが保存されているデータ書き込み領域には、２次警報信号発生後の検知データが上書きされて、その結果、２次警報信号、すなわち最新の警報信号時における２次警報データが他方のリングバッファＢに保存される。
【００２７】
その後さらに、次の警報信号が発せられた場合には、常に、最新の警報信号発生時における警報データが、いずれか一方のリングバッファに保存されるよう、上記のような動作が繰り返し行われる。
【００２８】
以上において、１次警報信号発生時における検知データの書き込みが両方のリングバッファＡ、Ｂに対して行われている状態において、さらに、２次警報信号が発せられた場合には、図２に示すように、１次警報データとされるべき検知データの書き込みが行われている一方のリングバッファＡに対して、２次警報信号発生後の検知データが上書きされて、一方のリングバッファＡにおけるデータ記録領域が２次警報信号発生時における検知データに書き換えられ、２次警報信号が発せられて１５分間が経過した時点で、一方のリングバッファＡに対する検知データの書き込みが終了される。
【００２９】
また、検知データの書き込みを開始してから１５分間が経過する以前に、１次警報信号が発せられると共に、その後、２次警報信号が発せられない場合、すなわち、最新の警報信号（１次警報信号）発生前の所定時間（１５分間）の検知データを取得することができない場合には、図３に示すように、１次警報データとされるべき検知データの書き込みが行われている一方のリングバッファＡに対して、１次警報発生前の検知データの不足分の代わりに、１次警報発生後の検知データを余分に書き込むことは行わずに、データ記録領域にブランク領域が形成された状態において、検知データの書き込みが終了される。
【００３０】
上記の警報データの記録方法によれば、警報信号が発せられた際に、検知データの書き込みが各々のリングバッファＡ、Ｂに対して二重に行われることにより、当該警報信号が発せられた後、いずれの時に次の警報信号が発せられた場合であっても、当該警報信号発生前の所定時間の検知データを確実に保存することができるので、所望の警報データを確実に取得することができる。
【００３１】
具体的には、警報データとして、警報信号発生前後、それぞれ１５分間の検知データを保存する場合において、一方のリングバッファＡに対して、１次警報信号発生時における警報データが保存されていると共に、他方のリングバッファＢに対して、１次警報信号発生後の検知データの書き込みが継続して行われている状態、すなわち、１次警報信号が発せられてから１５分間以上が経過した後に、２次警報信号が発せられた際には、従来の二重リングバッファ構造のものであれば、確実に取得することができなかった２次警報信号発生前の１５分間の検知データが他方のリングバッファＢに書き込まれているので、２次警報信号が発せられてから１５分間が経過した時点で、検知データの書き込みが終了されることにより、２次警報信号発生時における警報データが取得されると共に、一方のリングバッファＡに保存された警報データは書き換え可能な状態となり、２次警報信号発生と同時に検知データの上書きが開始されて次の警報信号に備えられ、従って、常に、最新の警報信号発生時における警報データを確実に取得することができる。
【００３２】
また、１次警報信号発生時における検知データの書き込みが両方のリングバッファに対して行われている状態、すなわち１次警報信号が発せられてから１５分間が経過する以前に、２次警報信号が発せられた際には、１次警報信号発生時における１次警報データとされるべき検知データの書き込みが行われている一方のリングバッファＡにおいて、２次警報信号発生後の検知データの上書きが行われて、一方のリングバッファにおけるデータ記録領域が２次警報信号発生時における警報データに書き換えられることにより、他方のリングバッファＢが次の警報信号に備えられた状態において、２次警報信号発生時における警報データを一方のリングバッファＡに保存することができ、従って、常に、最新の警報信号発生時における警報データを確実に取得することができる。
【００３３】
また、上記の警報データの記録方法によれば、最初の警報信号発生時における警報信号発生前の所定時間の検知データを取得することができない場合には、データ記録領域にブランク領域が形成された状態において警報データが保存されることにより、警報信号発生前の検知データと警報発生後の検知データとの認識を確実に行うことができ、警報データの読み出しを容易に行うことができる。
【００３４】
上記の警報データ記録装置によれば、以上のような記録方法が実施されるので、最新の警報信号発生時における警報データを確実に取得することができることに加え、リングバッファ構造が形成された不揮発性メモリが用いられているので、所定時間の検知データを書き込むために必要とされる最低限の容量のものを用いればよく、従って、メモリの消費電力を低減させることができ、しかも警報データ記録装置それ自体を小型のものとすることができる。
【００３５】
上記のガス警報装置によれば、以上のような警報データ記録装置を備えているので、検知対象ガスについての検知データが順次に書き込まれることにより、他の警報処理に支障をきたすことなしに、最新の警報信号発生時における警報データを確実に取得することができ、従って、高い安全性を得ることができると共に、保存された警報データに基づいて、ガス漏洩による災害の発生を未然に防ぐことができる。
また、ガス警報装置それ自体を小型のものとすることができるので、携帯用のガス警報装置として好適に利用することができる。
【００３６】
以上、本発明の実施の形態について説明したが、本発明は上記の態様に限定されるものではなく、種々の変更を加えることができる。
例えば、警報データとして保存されるべき検知データのデータ量は、警報信号発生前後、それぞれ１５分間ずつ（合計３０分間）である必要はなく、適宜変更することが可能であり、検知データのデータ量に応じて不揮発性メモリの容量を変更すればよい。
また、リングバッファに対して検知データの書き込みを行う時間間隔についても、適宜変更することができる。
【００３７】
【発明の効果】
本発明の警報データの記録方法によれば、警報信号が発せられた際に、検知データの書き込みが各々のリングバッファに対して二重に行われることにより、当該警報信号が発せられた後、いずれの時に次の警報信号が発せられた場合であっても、当該警報信号発生前の所定時間の検知データを確実に保存することができるので、所望の警報データを確実に取得することができる。
【００３８】
本発明の警報データ記録装置によれば、上記の記録方法が実施されるので、最新の警報信号発生時における警報データを確実に取得することができることに加え、リングバッファ構造が形成された不揮発性メモリが用いられているので、所定時間の検知データを書き込むために必要とされる最低限の容量のものを用いればよく、従って、メモリの消費電力を低減させることができ、しかも警報データ記録装置それ自体を小型のものとすることができる。
【００３９】
本発明のガス警報装置によれば、上記の警報データ記録装置を備えているので、検知対象ガスについての検知データが順次に書き込まれることにより、他の警報処理に支障をきたすことなしに、最新の警報信号発生時における警報データを確実に取得することができ、従って、高い安全性を得ることができると共に、保存された警報データに基づいて、ガス漏洩による災害の発生を未然に防ぐことができる。
また、ガス警報装置それ自体が小型のものであるので、携帯用のガス警報装置として好適に利用することができる。
【図面の簡単な説明】
【図１】本発明のガス警報装置において、（イ）二重リングバッファの各々の動作状態の一例を模式的に示す説明図、（ロ）二重リングバッファの各々の動作状態を経時的にグラフ化して示す説明図である。
【図２】本発明のガス警報装置において、二重リングバッファの各々の動作状態の他の例を経時的にグラフ化して示す説明図である。
【図３】本発明のガス警報装置において、二重リングバッファの各々の動作状態の更に他の例を経時的にグラフ化して示す説明図である。
【図４】従来における二重リングバッファの各々の動作状態の一例を経時的にグラフ化して示す説明図である。
【図１】
0004373032.tif 000002
【図２】
0004373032.tif 000003
【図３】
0004373032.tif 000004
【図４】
0004373032.tif 000005